(57)【要約】      （修正有）【課題】フレキシブル経線やフレキシブル緯線の抜け出しを防止する防護ネットを提供する。【解決手段】防護ネット本体１とフック２を備え、防護ネット本体１は互いに交差して形成されるメッシュ状の複数本のフレキシブル経線１１とフレキシブル緯線１２で構成され、フレキシブル経線１１とフレキシブル緯線１２の交差部位がフック２によって固定され、フレキシブル経線１１とフレキシブル緯線１２における上方に位置する一方がフック２の作用で変形して弓型セグメントを形成するとともに、弓型セグメントによってフレキシブル経線１１とフレキシブル緯線１２における下方に位置する他方を押圧する。このフック押圧による弓型セグメントによって、フレキシブル経線１１とフレキシブル緯線１２の間の接触面積及び摩擦力が増やし、防護ネットの強度が向上する。【選択図】図１
0003219013.tif 000002
【実用新案登録請求の範囲】
【請求項１】
防護ネット本体とフックを備え、上記防護ネット本体は互いに交差して形成されるメッシュ状の複数本のフレキシブル経線とフレキシブル緯線で構成され、上記フレキシブル経線とフレキシブル緯線の交差部位が上記フックによって固定され、上記フレキシブル経線とフレキシブル緯線における上方に位置する一方が上記フックの作用で変形して弓型セグメントを形成するとともに、上記弓型セグメントによって上記フレキシブル経線とフレキシブル緯線における下方に位置する他方を押圧することを特徴とする防護ネット。
【請求項２】
前記フレキシブル経線及び／又はフレキシブル緯線にステンレス鋼線ワイヤを用いることを特徴とする請求項１に記載の防護ネット。
【請求項３】
前記フレキシブル経線及び／又はフレキシブル緯線は７本のステンレス鋼の中間直径の糸を上撚りしてなり、且つそれぞれの前記ステンレス鋼の中間直径の糸は７本のステンレス鋼の細糸を上撚りしてなることを特徴とする請求項２に記載の防護ネット。
【請求項４】
前記ステンレス鋼の細糸の直径は０．６―０．８ｍｍであり、及び／又は前記ステンレス鋼の細糸に３１６ステンレス鋼線を用いることを特徴とする請求項３に記載の防護ネット。
【請求項５】
前記ステンレス鋼の細糸の直径は０．７ｍｍであることを特徴とする請求項４に記載の防護ネット。
【請求項６】
前記フレキシブル経線とフレキシブル緯線が交差して形成されるメッシュは正方形または長方形であることを特徴とする請求項１に記載の防護ネット。
【請求項７】
前記フックは、前記防護ネット本体の中間領域に位置する前記フレキシブル経線とフレキシブル緯線の交差部位を固定するための十字形のフックと、前記防護ネット本体のエッジ領域に位置する前記フレキシブル経線とフレキシブル緯線の交差部位を固定するためのＴ字形のフックを含むことを特徴とする請求項１に記載の防護ネット。
【請求項８】
前記十字形のフックは十字形の平板部と、前記十字形の平板部の４つの端点にそれぞれ強固に結合される円筒部とを含み、前記フレキシブル経線とフレキシブル緯線の交差部位によって前記十字形の平板部の上方を押圧し、且つ前記フレキシブル経線とフレキシブル緯線が前記円筒部の部分を貫通して前記円筒部に密着・被覆されることを特徴とする請求項７に記載の防護ネット。
【請求項９】
前記十字形のフックは、中部に位置する十字形の平板及び前記十字形の平板の４つの端点に一体成形される、前記十字形の平板の幅より広い方形の延出板を含む十字形の基材板を折り曲げて形成され、前記十字形の基材板を折り曲げると、前記十字形の平板が前記十字形のフックの十字形の平板部になり、前記方形の延出板が折り曲げられて前記十字形のフックの円筒部になることを特徴とする請求項８に記載の防護ネット。
【請求項１０】
前記十字形の平板の内側に位置する４つの角部が面取り処理されることを特徴とする請求項９に記載の防護ネット。
【請求項１１】
前記方形の延出板の４つの角にＲ角が設けられることを特徴とする請求項９に記載の防護ネット。
【請求項１２】
前記十字形の基材板の厚さは０．６ｍｍ以上であることを特徴とする請求項９に記載の防護ネット。
【請求項１３】
前記Ｔ字形のフックは、Ｔ字形の平板部と、前記Ｔ字形の平板部の３つの端点にそれぞれ強固に結合される円筒部とを含み、前記フレキシブル経線とフレキシブル緯線の交差部位によって前記Ｔ字形の平板部の上方を押圧し、且つ前記フレキシブル経線とフレキシブル緯線が前記円筒部の部分を貫通して前記円筒部に密着・被覆されることを特徴とする請求項７に記載の防護ネット。
【請求項１４】
前記Ｔ字形のフックは、中部に位置するＴ字形の平板及び前記Ｔ字形の平板の３つの端点に一体成形される、前記Ｔ字形の平板の幅より広い方形の延出板を含むＴ字形の基材板を折り曲げて形成され、前記Ｔ字形の基材板を折り曲げると、前記Ｔ字形の平板が前記Ｔ字形のフックのＴ字形の平板部になり、前記方形の延出板が折り曲げられて前記Ｔ字形のフックの円筒部になることを特徴とする請求項１３に記載の防護ネット。
【請求項１５】
前記Ｔ字形の平板の内側に位置する２つの角部が面取り処理されることを特徴とする請求項１４に記載の防護ネット。
【請求項１６】
前記方形の延出板の４つの角にＲ角が設けられることを特徴とする請求項１４に記載の防護ネット。
【請求項１７】
前記Ｔ字形の基材板の厚さは０．６ｍｍ以上であることを特徴とする請求項１４に記載の防護ネット。
【考案の詳細な説明】
【技術分野】
【０００１】
本考案は防護ネット分野に関し、特に強度が高く、使用寿命が長い防護ネットに関する。
【背景技術】
【０００２】
防護ネットは生活中の様々な場合に用いられ、例えば空港の防護ネット、寺社の防護ネット、建築現場の周囲防護ネット等によく用いられている。
【０００３】
空港の防護ネットは主に鳥類の空港領域への侵入を防止するために用い、飛行機の飛行障害や危険を避け、現在良く使用されている空港の防護ネットは低炭素鋼線／アルミニウムマグネシウム合金線をスプレー・編み・半田付けしてなるものであるが、上記防護ネットの材質製作プロセスが複雑で、コストが高い。
【０００４】
寺社は法を伝う聖地であり、世界中良く知られている文化遺産としての寺社を保護することが重要であり、寺社の安全を保護するために、一般的に寺社の周囲に防護ネットを設置することが多く、良く使用される防護ネットは鉄線メッシュ塗りやナイロン、プラスチック糸で編んでなるが、日焼けなどで鉄線メッシュの塗料層が剥がし易く、かつ鉄線がさび付いて劣化し、使用寿命が短い一方、ナイロン、プラスチックで編んでなる防護ネットが酸化されやすく、使用寿命が短い。
【０００５】
また、ナイロン防護ネットの風圧受け能力が低く、特に南の沿海地方で夏の台風が多いため、従来のナイロン防護ネットによる固定構造で大きい風に耐えにくく、大きい風によるナイロン防護ネットの振れによって鉄骨上からのナイロン防護ネットの抜け出しが発生すると、安全上の問題がある。
【０００６】
建築現場の場合に建物の周囲に防護ネットを構築必要があるが、防護ネットによって施工安全を確保し、施工人員の転落や施工時の建物材料の落下によるけがを避けるだけでなく、建築現場の埃の飛散による衛生、環境の汚染を防止することができる。現在良く用いられる建築現場用防護ネットのナイロン防護ネットは、その強度が低く、劣化・破断し易く、使用寿命が短い。
【考案の概要】
【考案が解決しようとする課題】
【０００７】
本考案の目的は従来技術の不足を解決するための防護ネットを提供している。
【課題を解決するための手段】
【０００８】
上記の目的を達成するために、本考案の技術手段は以下の通りである。
【０００９】
本考案の実施例では防護ネット本体とフックを備え、上記防護ネット本体は互いに交差して形成されるメッシュ状の複数本のフレキシブル経線とフレキシブル緯線で構成され、上記フレキシブル経線とフレキシブル緯線の交差部位が上記フックによって固定され、上記フレキシブル経線とフレキシブル緯線における上方に位置する一方が上記フックの作用で変形して弓型セグメントを形成するとともに、上記弓型セグメントによって上記フレキシブル経線とフレキシブル緯線における下方に位置する他方を押圧する防護ネットを開示する。
【００１０】
本考案の好ましい態様の一つとして、上記フレキシブル経線及び／又はフレキシブル緯線にステンレス鋼線ワイヤを用いる。
【００１１】
本考案の好ましい態様の一つとして、前記フレキシブル経線及び／又はフレキシブル緯線は７本のステンレス鋼の中間直径の糸を上撚りしてなり、且つそれぞれの前記ステンレス鋼の中間直径の糸は７本のステンレス鋼の細糸を上撚りしてなる。
【００１２】
本考案の好ましい態様の一つとして、前記ステンレス鋼の細糸の直径は０．６―０．８ｍｍであり、及び／又は前記ステンレス鋼の細糸に３１６ステンレス鋼線を用いる。
【００１３】
更に好ましくは、上記ステンレス鋼の細糸の直径は０．７ｍｍである。
【００１４】
本考案の好ましい態様の一つとして、前記フレキシブル経線とフレキシブル緯線が交差して形成されるメッシュは正方形または長方形である。
【００１５】
本考案の好ましい態様の一つとして、前記フックは、前記防護ネット本体の中間領域に位置する前記フレキシブル経線とフレキシブル緯線の交差部位を固定するための十字形のフックと、前記防護ネット本体のエッジ領域に位置する前記フレキシブル経線とフレキシブル緯線の交差部位を固定するためのＴ字形のフックを含む。
【００１６】
更に好ましくは、前記十字形のフックは十字形の平板部と、前記十字形の平板部の４つの端点にそれぞれ強固に結合される円筒部とを含み、前記フレキシブル経線とフレキシブル緯線の交差部位によって前記十字形の平板部の上方を押圧し、且つ前記フレキシブル経線とフレキシブル緯線が前記円筒部の部分を貫通して前記円筒部に密着・被覆される。
【００１７】
更に好ましくは、前記十字形のフックは、中部に位置する十字形の平板及び前記十字形の平板の４つの端点に一体成形される、前記十字形の平板の幅より広い方形の延出板を含む十字形の基材板を折り曲げて形成され、前記十字形の基材板を折り曲げると、前記十字形の平板が前記十字形のフックの十字形の平板部になり、前記方形の延出板が折り曲げられて前記十字形のフックの円筒部になる。
【００１８】
更に好ましくは、前記十字形の平板の内側に位置する４つの角部が面取り処理される。
【００１９】
更に好ましくは、前記方形の延出板の４つの角にＲ角が設けられる。
【００２０】
更に好ましくは、前記十字形の基材板の厚さは０．６ｍｍ以上である。
【００２１】
更に好ましくは、前記Ｔ字形のフックは、Ｔ字形の平板部と、前記Ｔ字形の平板部の３つの端点にそれぞれ強固に結合される円筒部とを含み、前記フレキシブル経線とフレキシブル緯線の交差部位によって前記Ｔ字形の平板部の上方を押圧し、且つ前記フレキシブル経線とフレキシブル緯線が前記円筒部の部分を貫通して前記円筒部に密着・被覆される。
【００２２】
更に好ましくは、前記Ｔ字形のフックは、中部に位置するＴ字形の平板及び前記Ｔ字形の平板の３つの端点に一体成形される、前記Ｔ字形の平板の幅より広い方形の延出板を含むＴ字形の基材板を折り曲げて形成され、前記Ｔ字形の基材板を折り曲げると、前記Ｔ字形の平板が前記Ｔ字形のフックのＴ字形の平板部になり、前記方形の延出板が折り曲げられて前記Ｔ字形のフックの円筒部になる。
【００２３】
更に好ましくは、前記Ｔ字形の平板の内側に位置する２つの角部が面取り処理される。
【００２４】
更に好ましくは、前記方形の延出板の４つの角にＲ角が設けられる。
【００２５】
更に好ましくは、前記Ｔ字形の基材板の厚さは０．６ｍｍ以上である。
【００２６】
従来技術に比べて、本考案の利点は以下の通りである。
１）フックの作用でフレキシブル経線／フレキシブル緯線が変形して弓型セグメントを形成するとともに弓型セグメントによってフレキシブル緯線／フレキシブル経線上を押圧し、フックの押圧による弓型セグメントによって、フレキシブル経線とフレキシブル緯線の間の接触面積及び摩擦力が増やし、防護ネットの強度が向上する。
２）本考案が提供する防護ネットのフックはフレキシブル経線とフレキシブル緯線を被覆する全円周形の円筒部を有し、フックとフレキシブル経線及びフレキシブル緯線との接触面積が増やし、フックとフレキシブル経線及びフレキシブル緯線との摩擦力が増やして、フックと防護ネット本体の間の接続力が向上し、さらに効果的に防護ネットの強度を向上させ、防護ネット全体の安定性が良くなり、防護ネット全体の使用寿命が長くになり、また円筒部によってフレキシブル経線やフレキシブル緯線の抜け出しを防止することができる。
３）本考案が提供する防護ネットのフックの円筒部によってフレキシブル経線とフレキシブル緯線を完全に被覆させ、フレキシブル経線とフレキシブル緯線に対する損傷を低減でき、好ましくは、フレキシブル経線とフレキシブル緯線にステンレス鋼線ワイヤを用い、フックの円筒部によってステンレス鋼線ワイヤを完全に被覆させ、ステンレス鋼線ワイヤの分離現象を避けることができる。
４）本考案が提供する防護ネットの十字形のフックは十字形の平板部を含み、十字形の平板部が平板型の構造であるので、十字形のフックの加工が容易になる一方、鋼線ワイヤと十字形のフックの接触面が１本の直線になり、このように洗浄の空間が広く、防護ネットの洗浄が簡単になる。
５）本考案が提供する防護ネットのＴ字形のフックはＴ字形の平板部を含み、Ｔ字形の平板部が平板型の構造であるので、Ｔ字形のフックの加工が容易になる一方、鋼線ワイヤとＴ字形のフックの接触面が１本の直線になり、このように洗浄の空間が広く、防護ネットの洗浄が簡単になる。
６）本考案が提供する十字形のフックは十字形の平板部と円筒部を含み、Ｔ字形のフックはＴ字形の平板部と円筒部を含むので、フックの構造が簡単で、合理的に見映えが向上する。
７）本考案が提供する防護ネット本体はステンレス鋼線を上撚りしてなるもので、劣化しにくく、軽量で強度が高く、使用寿命が長い。
【図面の簡単な説明】
【００２７】
以下、本考案の実施例中の技術手段を明らかに説明するために、実施例に記述する必要の図面を簡単に説明する。
【図１】本考案の１つ好適な実施例に開示する防護ネットの部分構造を示す模式図である。
【図２】本考案の１つ好適な実施例に開示する十字形のフックの構造を示す模式図である。
【図３】本考案の１つ好適な実施例に開示する十字形の基材板の構造を示す模式図である。
【図４】本考案の１つ好適な実施例に開示するフレキシブル経線／フレキシブル緯線の組成を示す模式図である。
【図５】本考案の１つ好適な実施例に開示する防護ネットの部分構造を示す模式図である。
【図６】本考案の１つ好適な実施例に開示するＴ字形のフックの構造を示す模式図である。
【図７】本考案の１つ好適な実施例に開示するＴ字形の基材板の構造を示す模式図である。
【考案を実施するための形態】
【００２８】
以下、本考案の実施例中の図面を参照して、本考案の実施例中の技術手段を明らかに全体的に説明する。
【００２９】
図１〜７に示すように、本考案の１つ好適な実施例では、防護ネット本体１とフックを備え、防護ネット本体１は互いに交差して形成されるメッシュ状の複数本のフレキシブル経線１１とフレキシブル緯線１２で構成され、フレキシブル経線１１とフレキシブル緯線１２の交差部位がフックによって固定され、フレキシブル経線１１とフレキシブル緯線１２における上方に位置する一方がフックの作用で変形して弓型セグメントａを形成するとともに弓型セグメントａによってフレキシブル経線１１とフレキシブル緯線１２における下方に位置する他方を押圧する防護ネットを開示する。
【００３０】
好ましくは、フレキシブル経線１１及びフレキシブル緯線１２にステンレス鋼線ワイヤを用い、フレキシブル経線１１及びフレキシブル緯線１２は７本のステンレス鋼の中間直径の糸を上撚りしてなり、且つそれぞれのステンレス鋼の中間直径の糸は７本のステンレス鋼の細糸を上撚りしてなり、その内、ステンレス鋼の細糸の直径は０．６―０．８ｍｍであり、好ましくは０．７ｍｍであり、ステンレス鋼の細糸に３１６ステンレス鋼線を用いるが、ここに限定されるものではなく、３１６ステンレス鋼はモリブデン含有ステンレス鋼種であるので、その用途が広く、３１６ステンレス鋼が高い塩化物侵食防止性能をさらに有し、海洋環境でよく用いられるので、本考案が提供する防護ネットは沿海都市での使用に適合するものであると言える。
【００３１】
好ましくは、フレキシブル経線１１とフレキシブル緯線１２が交差して形成されるメッシュは正方形または長方形である。メッシュを正方形または長方形とすることによって、フック（後述する十字形またはＴ字形のフック３）と防護ネット本体との結合が容易になる。
【００３２】
フックは２つのタイプを含み、具体的に、フックは、防護ネット本体１の中間領域に位置するフレキシブル経線１１とフレキシブル緯線１２の交差部位を固定するための十字形のフック２と、防護ネット本体１のエッジ領域に位置するフレキシブル経線１１とフレキシブル緯線１２の交差部位を固定するためのＴ字形のフック３とを含む。
【００３３】
その内、図１〜４に示すように、十字形のフック２は十字形の平板部２１及び十字形の平板部２１の４つの端点にそれぞれ強固に結合される円筒部２２を含み、フレキシブル経線１１とフレキシブル緯線１２の交差部位によって十字形の平板部２１の上方を押圧し、且つフレキシブル経線１１とフレキシブル緯線１２が円筒部２２の部分を貫通して円筒部２２に密着・被覆される。
【００３４】
より具体的に、十字形のフック２は、中部に位置する十字形の平板ｂ１及び十字形の平板ｂ１の４つの端点に一体成形される、十字形の平板ｂ１の幅より広い方形の延出板ｂ２を含む十字形の基材板ｂを折り曲げて形成され、十字形の基材板ｂを折り曲げると、十字形の平板ｂ１が十字形のフック２の十字形の平板部２１になり、方形の延出板ｂ２が折り曲げられて十字形のフック２の円筒部２２になる。十字形の平板ｂ１の内側に位置する４つの角部が面取り処理され、４つの角部に対して面取り処理を行うことによって十字形の基材板ｂの折り曲げ時の破断現象を低減、ひいては避けることができる。方形の延出板ｂ２の４つの角にＲ角が設けられることによって、けがやフックと防護ネット本体の組込時の防護ネット本体損傷を避けることができる。なお、十字形の基材板ｂの厚さは０．６ｍ以上であるので、フックの強度や硬度を保証することができる。
【００３５】
図５〜７に示すように、Ｔ字形のフック３は、Ｔ字形の平板部３１及びＴ字形の平板部３１の３つの端点に強固に結合される円筒部３２を含み、フレキシブル経線１１とフレキシブル緯線１２における上方に位置する一方がフックの作用で変形して弓型セグメントａを形成するとともに弓型セグメントａによってフレキシブル経線１１とフレキシブル緯線１２における下方に位置する他方上を押圧し、フレキシブル経線１１とフレキシブル緯線１２の交差部位がＴ字形の平板部３１の上方を押圧し、且つフレキシブル経線１１とフレキシブル緯線１２が円筒部３２の部分を貫通して円筒部３２に密着・被覆される。
【００３６】
その内に、Ｔ字形のフック３は、中部に位置するＴ字形の平板ｃ１及びＴ字形の平板ｃ１の３つの端点に一体成形される、Ｔ字形の平板ｃ１の幅より広い方形の延出板ｃ２を含むＴ字形の基材板ｃを折り曲げて形成され、Ｔ字形の基材板ｃを折り曲げると、Ｔ字形の平板ｃ１がＴ字形のフック３のＴ字形の平板部３１になり、方形の延出板ｂ２が折り曲げられてＴ字形のフック３の円筒部３２になる。
【００３７】
十字形のフック２と同様の設計原理によれば、Ｔ字形の平板ｃ１の内側に位置する２つの角部が面取り処理され、方形の延出板ｃ２の４つの角にＲ角が設けられ、Ｔ字形の基材板ｃの厚さは０．６ｍｍ以上である。
【００３８】
なお、Ｔ字形のフック３は、防護ネット本体１のエッジ領域に位置するフレキシブル経線１１とフレキシブル緯線１２の交差部位を固定するために、単独で成形して製造できるが、十字形のフック２から１つの円筒部２２を除去、すなわち十字形のフック２と防護ネット本体１のエッジ領域に位置するフレキシブル経線１１及びフレキシブル緯線１２の交差部位との固定が完了した後、十字形のフック２の１つの円筒部２２を除去してＴ字形のフック３を形成しても良い。
【００３９】
以上の技術手段によって、フックの作用でフレキシブル経線１１／フレキシブル緯線１２が変形して弓型セグメントａを形成するとともに弓型セグメントａによってフレキシブル緯線１２／フレキシブル経線１１上を押圧し、フック押圧による弓型セグメントａによって、フレキシブル経線１１とフレキシブル緯線１２の間の接触面積及び摩擦力が増やし、防護ネットの強度が向上し、また円筒部２２によってフレキシブル経線１１やフレキシブル緯線１２の抜け出しを防止することができる。
【００４０】
本考案が提供する防護ネットのフックは、フレキシブル経線１１とフレキシブル緯線１２を被覆する全円周形の円筒部２２を有し、フックとフレキシブル経線１１及びフレキシブル緯線１２の接触面積が増やし、フックとフレキシブル経線１１及びフレキシブル緯線１２の摩擦力が増やし、フックと防護ネット本体の間の接続力が向上し、さらに効果的に防護ネットの強度を向上させ、防護ネット全体の安定性が良くなり、防護ネット全体の使用寿命が長くなる。
【００４１】
本考案が提供する防護ネットのフックの円筒部２２によってフレキシブル経線１１とフレキシブル緯線１２を完全に被覆させ、フレキシブル経線１１やフレキシブル緯線１２に対する損傷を低減することができ、好ましくは、フレキシブル経線１１やフレキシブル緯線１２にステンレス鋼線ワイヤを用い、フックの円筒部２２によってステンレス鋼線ワイヤを完全に被覆させ、ステンレス鋼線ワイヤの分離現象を避けることができる。
【００４２】
本考案が提供する防護ネットの十字形のフック２は十字形の平板部２１を含み、十字形の平板部２１が平板型の構造であるので、十字形のフック２の加工が容易になる一方、鋼線ワイヤと十字形のフック２の接触面が１本の直線になり、このように洗浄の空間が広く、防護ネットの洗浄が簡単になる。
【００４３】
本考案が提供する防護ネットのＴ字形のフック３はＴ字形のフック３１を含み、Ｔ字形のフック３１が平板型の構造であるので、Ｔ字形のフックの加工が容易になる一方、鋼線ワイヤとＴ字形のフック３の接触面が１本の直線になり、このように洗浄の空間が広く、防護ネットの洗浄が簡単になる。
【００４４】
本考案が提供する十字形のフック２は十字形の平板部２１と円筒部２２を含み、Ｔ字形のフック３はＴ字形の平板部３１と円筒部３２を含むので、その構造が簡単で、合理的に見映えが向上する。
【００４５】
本考案が提供する防護ネット本体はステンレス鋼線を上撚りしてなるもので、劣化しにくく、軽量で強度が高く、使用寿命が長い。
【００４６】
なお、本考案が提供する防護ネットは空港、寺社、建設現場に適用するだけでなく、他の場合、例えばガード柵、道路、鉄道、橋梁両側の保護部材、港、埠頭のセキュリティガード、市政建設中の公園、芝生、動物園、池や湖、道路、集合住宅の防護区画、ホテル、スーパーマーケット、カジノの保護や装飾等にも適合する。
【００４７】
当業者にとってはこれらの実施例に対して様々の変更を加えることが明らかであり、本考案に定義された一般的な原理が本考案の精神や範囲を逸脱しない限り、他の実施例でも実現できる。そこで、本考案は以上の実施例に限定されず、すでに開示した原理や新規特徴と同一の実施例もすべて本考案の範囲に属する。
【符号の説明】
【００４８】
１      防護ネット本体
１１    フレキシブル経線
１２    フレキシブル緯線
ａ      弓型セグメント
２      十字形のフック
２１    十字形の平板部
２２    円筒部
ｂ      十字形の基材板
ｂ１    十字形の平板
ｂ２    方形の延出板
３      Ｔ字形のフック
３１    Ｔ字形の平板部
３２    円筒部
ｃ      Ｔ字形の基材板
ｃ１    Ｔ字形の平板
ｃ２    方形の延出板
【図１】
0003219013.tif 000003
【図２】
0003219013.tif 000004
【図３】
0003219013.tif 000005
【図４】
0003219013.tif 000006
【図５】
0003219013.tif 000007
【図６】
0003219013.tif 000008
【図７】
0003219013.tif 000009